(57)【要約】銃本体に着脱可能に取り付けられたマガジンを有する銃において、マガジンを銃本体から取り外した後に起こり得る残弾発射の危険性を防ぐ模擬銃における安全装置である。  銃本体に着脱可能に取り付けられるマガジンを有し、マガジン内部の弾丸を銃本体の装弾部に供給し、装弾部に配置された弾丸に対して圧縮エアを噴射するためのピストン装置を有する模擬銃において、銃本体に装備された、駆動部における発射操作に伴ってピストン装置２２のピストンを後退させるために、上記ピストン側の係合部と係合し、かつ、上記係合から脱してピストンを前進させる、係合相手部を有するトリガー部材１５を具備する。上記トリガー部材は、ピストンの前進後退方向へ移動可能、かつ、上記係合部から係合相手部が脱する方向へ移動可能に銃本体に設けるものとする。トリガー部材１５に対しては、ピストンの前進時に同方向への移動を助ける戻しばね１６を設け、上記係合部と係合相手部が係合する方向へトリガー部材を付勢するための付勢手段として、マガジンに装備されている弾性体３６を使用する。
2008114461.tif 000002
【特許請求の範囲】
【請求項１】
銃本体に着脱可能に取り付けられるマガジンを有し、マガジン内部の弾丸を銃本体の装弾部に供給し、装弾部に配置された弾丸に対して圧縮エアを噴射するためのピストン装置を有する模擬銃において、
銃本体に装備された、駆動部における発射操作に伴ってピストン装置のピストンを後退させるために、上記ピストン側の係合部と係合し、かつ、上記係合から脱してピストンを前進させる、係合相手部を有するトリガー部材を具備するとともに、上記トリガー部材は、ピストンの前進後退方向へ移動可能、かつ、上記係合部から係合相手部が脱する方向へ移動可能に銃本体に設けられており、トリガー部材に対しては、ピストンの前進時に同方向への移動を助ける戻しばねを設け、上記係合部と係合相手部が係合する方向へトリガー部材を付勢するための付勢手段として、マガジンに装備されている弾性体を使用することを特徴とする模擬銃における安全装置。
【請求項２】
駆動部は、銃本体の前後方向へ移動可能に設けられた引き金を有する引き金部と、その引き金部に揺動可能に取り付けられた揺動部を有し、上記引き金部と揺動部は、トリガー部材を構成しており、上記揺動部は、引き金を引く操作により後退するにつれて揺動可能であり、上記後退の限界位置付近にて係合部から係合相手部が脱する方向へ傾斜したガイド部に沿って移動する請求項１記載の模擬銃における安全装置。
【請求項３】
係合部と係合相手部が係合する方向へトリガー部材を付勢するための付勢手段として、マガジンに装備されている弾性体によってマガジンの外方へ突き出すようにマガジンに設けられた加圧部材を有していることを特徴とする請求項１又は２記載の模擬銃における安全装置。
【請求項４】
マガジンを銃本体から取り外したときに、マガジン内部の弾丸を銃本体の装弾部に供給する弾丸送り径路に残存している弾丸がこぼれ落ちるのを防止するために、上記弾丸送り径路に出没可能なストッパーを装備して成る請求項１記載の模擬銃における安全装置。
【発明の詳細な説明】
【技術分野】
【０００１】
本発明は、銃本体に着脱可能に取り付けられるマガジンを有し、マガジン内部の弾丸を銃本体の装弾部に供給し、上記の装弾部に配置された弾丸に対して圧縮エアを噴射するためのピストン装置を有する模擬銃における安全装置に関するものである。
【背景技術】
【０００２】
例えばエアソフトガンであるとか、遊戯銃などとも呼ばれる銃は、一定の規格に従って製造された、ＢＢ弾などと通称される球形の弾丸を使用するもので、このタイプの銃には、補充用の弾丸をこめたマガジン（弾倉）を着脱式に設けたものとそうでないものとがある。マガジン着脱式の銃では、マガジンを銃本体から取り外したときにも、装弾部に弾丸が保持されたまま残っていることがある。そのような場合、不注意に引き金を引くと、ある種の銃では、残っている弾丸を発射させることになるため注意が必要であり、特に年少者を対象とする銃については、注意を喚起する必要がある。残弾を打ち尽くしておけばそのような問題は無いが、時と場合によってはそれができないこともあるので、対策が望まれる。
上記の不注意な発射が起こり得る種類の銃とは、マガジンを銃本体から取り外してあるときでも、装弾部に弾丸が残されており、かつ、圧縮エアを噴射し得る機能が生きている、という条件を満たす銃である。例えば、圧縮ガスを充填したタンクをマガジンに一体に有しているタイプの銃の場合には、マガジンを銃本体から取り外してしまえば引き金を引いてもガスが噴射されないので、不注意に弾丸が発射される恐れはないといって良い。また、電動ガンのように、モーター駆動のピストン装置を有するタイプの銃についても、マガジンの着脱とモーター駆動回路の開閉を連動させることが可能であるから、マガジンを銃本体から取り外すことで、スイッチを切る対策を取ることが可能である。
これに対して、引き金を引くことでピストンが手動で駆動され、圧縮エアが噴射される構造を持ち、構造が比較的簡単で、かつ、威力も比較的小さい、年少者を対象とした手動式の銃の場合には、マガジンを銃本体から取り外しても弾丸は銃本体に残っており、かつ、圧縮エアを噴射し得る機能も生きているので、発射条件が備わっている。このため、上記の銃では、マガジンを銃本体から取り外した後の発射操作により、残されている弾丸が発射される危険性があり、従って、対策を講じる必要性も高いわけである。しかしながら、上記の銃以外のタイプの銃についても、マガジンを銃本体から取り外した後に、不注意などで起こり得る残弾発射の危険性を防止しておくことは有用である。
【発明の開示】
【発明が解決しようとする課題】
【０００３】
本発明は前記の事情に着目してなされたもので、その課題は、銃本体に着脱可能に取り付けられたマガジンを有する銃において、マガジンを銃本体から取り外した後に起こり得る残弾発射の危険性を防ぐことである。また本発明の他の課題は、不注意などを原因とする銃の暴発を防止可能な模擬銃における安全装置を提供することである。
【課題を解決するための手段】
【０００４】
前記の課題を解決するため、本発明は、銃本体に着脱可能に取り付けられるマガジンを有し、マガジン内部の弾丸を銃本体の装弾部に供給し、装弾部に配置された弾丸に対して圧縮エアを噴射するためのピストン装置を有する模擬銃において、銃本体に装備された、駆動部における発射操作に伴ってピストン装置のピストンを後退させるために、上記ピストン側の係合部と係合し、かつ、上記係合から脱してピストンを前進させる、係合相手部を有するトリガー部材を具備するとともに、上記トリガー部材は、ピストンの前進後退方向へ移動可能、かつ、上記係合部から係合相手部が脱する方向へ移動可能に銃本体に設けるものとし、トリガー部材に対しては、ピストンの前進時に同方向への移動を助ける戻しばねを設け、上記係合部と係合相手部が係合する方向へトリガー部材を付勢するための付勢手段として、マガジンに装備されている弾性体を使用するという手段を講じたものである。
本発明に係る安全装置は、銃本体に着脱可能に取り付けられるマガジンの内部の弾丸を銃本体の装弾部に供給する構成を取るために、マガジンを銃本体から取り外した後でも上記の装弾部に弾丸が残り、かつまた、残された弾丸に対して圧縮エアを噴射するための機能であるピストン装置が生きている模擬銃を対象とするものである。この条件を満たす模擬銃には、前述の、引き金を引くことでピストンが手動で駆動され、圧縮エアが噴射される構造を持つ、年少者を対象とした手動式の銃がある。しかしながら、例えば、電動ガンについても、残された弾丸に対して圧縮エアを噴射するための機能であるピストン装置が生きている場合もあり得るので、本発明の対象となる。なお、本発明において使用している模擬銃とは、殺傷を目的とした銃すなわち実銃に対して、殺傷を目的としない銃を意味する。
本発明に係る安全装置では、銃本体に装備された、駆動部における発射操作に伴ってピストン装置のピストンを後退させるために、上記ピストン側の係合部と係合し、かつ、上記係合から脱してピストンを前進させる、係合相手部を有するトリガー部材を具備する。上記トリガー部材は、ピストンの前進後退方向へ移動可能、かつ、上記係合部から係合相手部が脱する方向へ移動可能に銃本体に設けられている。すなわち、トリガー部材は、銃本体に装備されている駆動部と、ピストンとを連絡する部材であり、駆動部における発射操作に伴う動きをピストンに伝達して後退させるもので、そのためにピストン側に係合部、トリガー部材側には係合相手部を設け、ピストンを後退させるときには係合部と係合相手部とが係合し、ピストンを前進させるときには係合部と係合相手部との係合を脱しさせる。従って、トリガー部材は、ピストンの前進後退方向へ移動可能であるとともに、上記係合部から係合相手部が脱する方向へ移動可能に銃本体に設けられている構成を必要とするが、上記の条件を満たすものであれば、トリガー部材は、単一の部材から成るものでも、また、複数の部材から成るものでも、どちらでも良い。
前述の手動式の銃の場合、駆動部として、手動の引き金を利用する。このような場合には、駆動部は、銃本体の前後方向へ移動可能に設けられた引き金を有する引き金部と、その引き金部に揺動可能に取り付けられた揺動部を有するものとし、上記引き金部と揺動部が、トリガー部材を構成するものとするとともに、上記揺動部は、引き金を引く操作により後退するにつれて揺動可能であり、上記後退の限界位置付近にて係合部から係合相手部を脱しさせる方向へ傾斜したガイド部に沿って移動する構成を取ることが望ましい（請求項２記載の発明）。この構成により、後退する引き金部に対し揺動部のみが傾斜して、係合部から係合相手部をスムーズに脱しさせることができる。
トリガー部材に対しては、ピストンの前進時に同方向への移動を助ける戻しばねを設ける。これにより、トリガー部材を原位置へ速やかに戻すことができる。なお、上記戻しばねは、トリガー部材を構成する揺動部に作用し、後述する係合部と係合相手部の動作を制御するためにも利用し得る。
ピストンの後退時において、係合部と係合相手部が係合する方向へトリガー部材を付勢することは、作動の安定上必要な構成である。そのための付勢手段として、マガジンに装備されている弾性体によって、マガジンの外方へ突き出すようにマガジンに設けられた加圧部材を有するものとすることができる（請求項３記載の発明）。マガジンに装備されている弾性体は、先端側が弾丸を供給方向へ押す位置に配置され、基端側はマガジンの内壁などに支えられるので、基端側にて弾性体の弾性力を利用するものとし、そのためマガジンの該当部分に、マガジンの外方へ突き出すように加圧部材を設け、その加圧部材に弾性体の弾性力が及ぶようにする。マガジン内の弾性体を利用せずに、加圧部材を係合部と係合相手部が係合する方向へ付勢することも可能であるが、マガジンに内蔵の弾性体を利用することも上記のとおり可能であり、構成の合理化を図ることができる。
さらに、マガジンを銃本体から取り外したときに、マガジン内部の弾丸を銃本体の装弾部に供給する弾丸送り径路に残存している弾丸がこぼれ落ちるのを防止するために、上記弾丸送り径路に出没可能なストッパーを装備することができる（請求項４記載の発明）。残弾発射の原因になるのは、銃本体の装弾部に残っている弾丸であるので、弾丸送り径路に残存している弾丸がこぼれ落ちるのを防止することは、残弾発射の問題とは別のことであるが、マガジンを銃本体から取り外すことに伴って起こり得る問題を、銃本体側にわずかな改変を加えることによって解決することができる。
【図面の簡単な説明】
【０００５】
【図１】本発明に係る模擬銃における安全装置の例を示す内部側面図である。
【図２】同上の安全装置と弾丸送り経路を示す内部側面図である。
【図３】図２のＩＩＩ−ＩＩＩ線断面図である。
【図４】安全装置の周辺部分を分解して示す銃本体左半分の内側面図である。
【図５】同じくピストン装置の部分を示す分解して示す銃本体左半分の内部側面図である。
【図６】銃本体の右半分を示す内部側面図である。
【図７】本発明に係る模擬銃における安全装置の作動工程の一部を示す説明図である。
【図８】同じく作動工程の一部を示す説明図である。
【図９】マガジンを銃本体から取り外した状態における作動工程の一部を示す説明図である。
【発明を実施するための最良の形態】
【０００６】
以下図示の実施形態を参照して本発明をより詳細に説明する。図１は本発明に係る模擬銃における安全装置１０の一例を示すもので、例示の銃は、引き金を引くことでピストンが手動で駆動され、圧縮エアが噴射される構造を持つ、年少者を対象とした手動式の銃である。各図において、１１は銃本体を示しており、例示のものは、手動式の銃の駆動部として引き金１２を具備している。
例示されている銃の駆動部は、銃本体１１の前後方向へ移動可能に設けられた引き金１２を有する引き金側部分１３と、その引き金側部分１３に取り付けられた揺動部１４を有している。上記引き金側部分１３は、銃本体１１に用意された組み込み部分に、ピストンと同じく前後方向へ移動可能に組み込まれるもので、引き金側部分１３のやや後方の軸部１４ａにて、上記揺動部１４がシーソーのように揺動可能に軸支されており、これらの引き金側部分１３と揺動部１４は、トリガー部材１５を構成する（図４）。上記揺動部１４は、銃本体１１との間に設けた戻しばね１６によって前方に付勢されるとともに、上方にも付勢され、それにより係合部２７から離脱する方向へ係合相手部１７の動作を制御するようにも設けられている。トリガー部材１５は、引き金１２を引く操作により、上記の付勢力に抗して後退すると、それにつれて揺動、傾斜し、係合部２７から脱する係合相手部１７を有するとともに、ガイドローラー１８を後部に有しており、上記ガイドローラー１８を、後下方へ傾斜させて銃本体１１に形成したガイド部１９に配置して、上記係合部２７からの脱出を誘導するという構成を有している。１９ａは、ガイド部前端部の凹部を示す。
なお、引き金側部分１３を前後方向へ移動可能に組み込むために、銃本体１１に用意される組み込み部分４１Ｂは、図２等に符号４１Ａで示されている弾丸送り径路とともにほぼ左右に並んで設けられている。図６は上記組み込み部分４１Ｂが設けられている銃本体１１の右半分を示しており、また、図３にはマガジン部分における切断面の一部としての縦断面が示されている。
本発明に係る安全装置１０を適用した模擬銃は、銃本体１１に装備された、駆動部における発射操作に伴って後退するピストン２１を有するピストン装置２２を具備している。上記ピストン装置２２は、本体内の収容部２０において上部の前後方向に配置されたシリンダー２３と、その内部を摺動可能なピストン２１を有し、また、ピストン２１を駆動してシリンダー先端部のノズル２４から圧縮エアを噴射するための弾発手段２５として、コイルスプリングをピストン装置設置部後壁との間に圧縮状態でして配置している。２３ａはシリンダー位置決め部、また、２６はピストンカップであり、ピストン先端２１ａに取り付けてシリンダー内面に対するシール性を高めている。
そして、ピストン２１は、トリガー部材１５の係合相手部１７と係合するピストン側の部分として係合部２７を具備している。例示の係合部２７は、ピストン２１の側壁部分に、上方への凹状部分として形成されており、下方から立ち上がる係合相手部１７に対して係合可能及び離脱可能に構成されている。係合相手部１７の前面上部１７ａと、係合部２７の後面下部２７ａは、係合相手部１７が後方から係合部２７に係合するのを助けるために、前下方へ傾斜した形状に形成されている。係合部２７を、ピストン２１の側壁部分に設けることは、前記トリガー部材１５の組み込み部分４１Ｂが、弾丸送り径路４１Ａとともにほぼ左右に並んで設けられている構成に対応しており、別の係合部材を必要としないので構成の合理化に寄与する。
銃本体１１の内部において、ピストン装置設置部前方には、側方を向いた装弾口２８ａに通じる装弾部を有する装弾筒２８が前進後退可能に配置されており、装弾筒２８は銃身２９の後部に設けられ一体に前後に移動可能である。引き金側部分１３の前端には、銃身２９の前端部に摺接可能な枠部３０が銃身２９の位置決めのために設けられ、また、この枠部３０は、銃身２９の後退時に装弾筒２８の係合部２８ｂを押し、後方へ移動させる。２８ｃは装弾係止部であり、引き金係止部１３ｃと係合して装弾筒２８を前進させ装弾口２８ａを開く作用をする。３１は弾道修正用のホップアップ部材であり、装弾部前方に設けられている。
本発明に係る安全装置１０を適用する模擬銃は、弾丸３２を供給するために、銃本体グリップ部のマガジン収納部３４に、着脱可能に取り付けられるマガジン３３を有している。マガジン３３は、内部にほぼＵ字状に設けられた弾丸収納部３５を有し、上記弾丸収納部３５には、ほぼＵ字状の形態を取り得るコイルばねが、弾丸３２を押圧する弾性体３６として装備されている。弾性体３６は、先端側にて弾丸３２を供給方向へ押す位置に配置し、基端側はマガジンの壁面などに支えられる。３７は弾性体先端の弾丸押圧部、３８は弾性体基端のばね受部である。
そして、弾性体３６の基端側にて、その弾性力を、揺動部材１４の付勢に利用可能にするために、マガジン３３の対応部分を開口し、そこにばね受部３８の突起３８ａで押され、マガジン３３の外方へ突き出し得る加圧部材４０を設けている。加圧部材４０は、その後方の部分４０ａでマガジン３３に回転可能に軸支され、また、その前方の部分４０ｂにてマガジン３３に設けられている弧状溝３８ｂの範囲で上下動可能とされ、トリガー部材１５の揺動部１４の下部に設けられた突起３９に接して、係合部２７と係合相手部１７が係合する方向へ付勢力を及ぼしているものである。
マガジン３３の先端部の弾丸出口３３ａは、装弾部へ続く弾丸送り径路４１に通じており、また、その弾丸出口３３ａを構成するマガジン３３の壁面部分には側方へ向けて切り欠き部４２が形成され、そこ出没可能に、ストッパー４３が装備されている。このストッパー４３は、マガジン３３を銃本体１１から取り外したときに、弾丸送り径路４１Ａに残存している弾丸３２がこぼれ落ちるのを防止するために、切り欠き部４２に出没可能に設けられているもので、マガジン取り付け状態では、弾丸３２に側方から接して上記弾丸送り径路４１Ａに送り込まれるように誘導する誘導部材としての機能をも果たす。例示の場合、弾丸送り径路４１Ａは、トリガー部材の組み込み部分４１Ｂとほぼ左右に並んで設けられているので、弾丸送り径路４１Ａへ向けて弾丸３２を送り込めるように、ばね４４により付勢の上、ストッパー４３を設けるものとする。なお、４５、４６は、弾丸３２が銃身２９へ流れ込まないように、弾丸３２を保持するための部材を示す。
このように構成された本発明に係る安全装置１０を適用する模擬銃は、図７〜図９に示すように作動する。図７の▲１▼は、銃本体１１にマガジン３３をセットした状態を示しており、このとき、ストッパー４３は側方へ押しのけられ、マガジン３３内部の弾丸３２は、弾丸送り経路４１Ａを通って装弾部に保持される。一方マガジン３３においては、内部の弾性体３６により加圧部材４０が付勢力を受けて押し上げられるので、トリガー部材１５の揺動部１４が上方へ移動して、係合部２７と係合相手部１７が係合し得る状態にある。引き金１２を引くと、トリガー部材１５が後退して係合部２７と係合相手部１７が係合し（図７の▲２▼）、ピストン２１の後退が始まり、トリガー部材１５は、その揺動部１４において、ガイドローラー１８がガイド部１９を後退することにより、係合相手部１７が下方へと移動して行く。傾斜したガイド部１９に沿って移動する揺動部材１４が後退の限界位置付近に至ると、係合部２７から係合相手部１７が脱することになり、自由になったピストン２１は弾発手段２５に加圧されて瞬時に前進し、シリンダー２３内の空気が圧縮されノズル２４から噴出し、それによって装弾部にある弾丸３２が発射されることになる（図７の▲３▼）。
引き金１２を放すと、トリガー部材１５は戻しばね１６によって前進し、原位置方向へ移動するとともに、揺動部１４の係合相手部１７は傾斜ガイド部１９を移動し（図８の▲１▼）、前進する過程において、係合相手部１７の前面上部１７ａは、係合部２７の後面下部２７ａを乗り越えて係合状態になり、係合状態を維持して原位置に復帰する（図８の▲２▼）。
マガジン３３を銃本体１１から取り外してあるときには、マガジン内部の弾性体３６により加圧部材４０が付勢力を受けず、押し上げられない。よって、トリガー部材１５の揺動部１４のガイドローラー１８は、ガイド部１９の前方にて凹部１９ａに落ち込んだ状態にあるので、係合部２７と係合相手部１７が係合することはない（図９の▲１▼）。故に、引き金１２を引きトリガー部材１５が後退しても、係合部２７と係合相手部１７が係合していないためピストン２１も後退せず（図９の▲２▼）、装弾部に弾丸３２が装填されていたとしても発射されることはない。また、マガジン３３を銃本体１１から取り外したときには、ストッパー４３がばね４４によって回転し弾丸３２を止めるために、弾丸送り経路４１Ａに弾丸３２が残っていてもそれがこぼれ落ちることはない。
本発明以上の如く構成されかつ作用するものであるから、銃本体に着脱可能に取り付けられたマガジンを有する銃において、マガジンを銃本体から取り外した後ではピストンが後退できず、銃本体内に弾丸が残っていたとしても発射の危険性を防ぐことができる。また本発明によれば、マガジンを銃本体から取り外した後における、不注意などを原因とする銃の暴発を確実に防止可能な模擬銃における安全装置を提供することができる。
【産業上の利用可能性】
【０００７】
上記のように、本発明に係る模擬銃における安全装置は、銃に関するものであり、銃の中でも手動式の銃のほか、電動ガンについても利用することができる。また、引き金などを駆動部とし、ピストンを後退させた後に前進させて圧縮エアを生成し、圧縮エアにより弾丸類似の目的物を発射する機械装置にも、本発明を利用できる余地がある。
【図１】
2008114461.tif 000003
【図２】
2008114461.tif 000004
【図３】
2008114461.tif 000005
【図４】
2008114461.tif 000006
【図５】
2008114461.tif 000007
【図６】
2008114461.tif 000008
【図７】
2008114461.tif 000009
【図８】
2008114461.tif 000010
【図９】
2008114461.tif 000011
【国際調査報告】
2008114461.tif 000012
2008114461.tif 000013
2008114461.tif 000014
2008114461.tif 000015